(57)【特許請求の範囲】
【請求項１】
外殻を含み、前記外殻の中には第一伝動チャンバーと第二伝動チャンバーと第三伝動チャンバーとスペアチャンバーとが設置され、前記外殻の中にはまた移動チャンバーと停電チャンバーとが設置され、前記第一伝動チャンバーの中には封鎖警報機構と叩き防止機構とが設置され、前記停電チャンバーの中には停電機構が設置され、前記スペアチャンバーの中にはスペアの開き機構が設置され、前記封鎖警報機構は、左端が第一伝動チャンバーの左端壁を貫通し且つ左右に移動できるシリンダー軸を含み、前記シリンダー軸の中には右方に開口した鍵孔が設置され、前記第一伝動チャンバーの右端壁には前記シリンダー軸にかぶせた中空軸が回転できるように連結され、前記シリンダー軸と前記中空軸の中にはいずれも幾つかの押し栓チャンバーが設置され、前記押し栓チャンバーの中にはチャンバーの中で上下に移動でき且つ初期位置の全部異なる押し栓が設置され、上側の前記押し栓の下端と下側の前記押し栓の上端とにはいずれも阻み板が固定的に設置され、前記阻み板と前記押し栓チャンバーの端壁との間にはいずれも二つの伸ばしバネが固定され、前記中空軸の左端には大スプロケットが固定され、前記第二伝動チャンバーの左チャンバー壁には右端が前記第二伝動チャンバーの右端壁を貫通した第一伝動軸が回転できるように連結され、前記第一伝動軸の左端には小スプロケットが設置され、前記大スプロケットと前記小スプロケットとがチェーンにより連結され、前記第一伝動軸の右端には第三伝動チャンバーの中に位置した第一ベベルギアが設置され、前記第三伝動チャンバーの上下チャンバー壁の間には第二伝動軸が回転できるように連結され、前記第二伝動軸の上端には第一ラック歯車が設置され、前記第二伝動軸には前記第一ベベルギアと噛み合った第二ベベルギアが固定され、前記第二伝動軸の下端には第一縄輪が設置され、前記第一伝動チャンバーの右チャンバー壁の中には阻みブロックチャンバーが設置され、前記阻みブロックチャンバーの中には阻みブロックが設置され、前記阻みブロックの上端面がロープにより前記第一縄輪と連結され、間違った鍵が前記鍵孔に挿入されまた前記シリンダー軸を叩いた時に、撮影装置が動作し始め、それに前記阻みブロックが下降して前記シリンダー軸を保護する役割を果たすことを特徴とする知能防犯ロック安全警報装置。
【請求項２】
前記開き機構は下端が前記阻みブロックチャンバーの下端壁を貫通し且つ前記スペアチャンバーの中に位置した上下に移動できる直角支持ブロックを含み、前記阻みブロックチャンバーの中にはまた前記直角支持ブロックの上端面と接触した電磁石が設置され、前記阻みブロックの下端壁には上端の前記直角支持ブロックと連結された連結バネが固定され、前記直角支持ブロックの下端には第一ラックが固定され、前記スペアチャンバーの左チャンバー壁にはカム軸が回転できるように連結され、前記カム軸の左端には第二ラック歯車が設置され、前記カム軸の右端にはカムが設置され、前記第一ラックが前記第二ラック歯車と噛み合うように連結され、前記スペアチャンバーの中には前記スペアチャンバーと前記第一伝動チャンバーとを貫通したスリーブが設置され、前記スリーブの中には左右に移動できるスペアシリンダー軸が設置され、前記スペアシリンダー軸の中には右方に開口したスペア鍵孔が設置され、前記スペアシリンダー軸には同じく幾つの前記押し栓チャンバーが設置され、前記押し栓チャンバーの中には前記押し栓チャンバーの中で上下に移動でき且つ初期位置が異なるスペア押し栓がいずれも設置され、上側の前記スペア押し栓の下端と下側の前記スペア押し栓の上端とには前記阻み板がいずれも固定され、前記阻み板と前記押し栓チャンバーの端壁との間には二つの前記伸ばしバネがいずれも固定されていることを特徴とする請求項１に記載の知能防犯ロック安全警報装置。
【請求項３】
前記停電機構は前記シリンダー軸の左端に固定され且つ前記移動チャンバーに位置した従動歯車を含み、前記移動チャンバーの左チャンバー壁には二つの弾性バネが固定的に連結され、前記弾性バネの右端が前記シリンダー軸と接触し、前記移動チャンバーの中の左チャンバー壁には前記シリンダー軸の上側に位置した第三伝動軸が回転できるように連結され、前記第三伝動軸の右端には第二縄輪が設置され、前記第三伝動軸の左端には伝動歯車が固定され、前記停電チャンバーの中の前後チャンバー壁の間には回転軸が回転できるように連結され、前記回転軸には連結ロッドが固定的に連結され、前記連結ロッドの左端と前記第二縄輪との間が引き縄により連結され、前記連結ロッドの右端と前記停電チャンバーの下チャンバー壁とが伸縮バネにより連結され、前記停電チャンバーの上チャンバー壁の中には通電チャンバーが設置され、前記通電チャンバーの中の左側には電源が設置され且つ右側には導電ブロックが設置され、前記通電チャンバーの下チャンバー壁の中には下方に開口し且つ前記停電チャンバーと連通された押しチャンバーが設置され、前記押しチャンバーの中には台形ロッドが設置され、前記台形ロッドの下端が前記停電チャンバーの中に位置し且つ前記台形ロッドの下端には押し板が固定され、前記押し板の下端面が前記連結ロッドと接触し、前記導電ブロックの上端面には導線が連結され、前記導線の右端には前記第一伝動チャンバーの右チャンバー壁の中に位置した前記撮影装置が連結され、前記導電ブロックの右側には右端が前記通電チャンバーと前記第二伝動チャンバーと前記第三伝動チャンバーとを貫通し且つ前記第一ラック歯車と噛み合うように連結された第二ラックが設置されていることを特徴とする請求項１に記載の知能防犯ロック安全警報装置。
【請求項４】
前記叩き防止機構は前記移動チャンバーの左端壁に固定されたモーターを含み、前記モーターの右端には右端が前記移動チャンバーの右端壁を貫通したモーター軸が動力が伝達できるように連結され、前記モーター軸の右端には第三ラック歯車が固定され、前記第一伝動チャンバーの右端壁には固定板が設置され、前記第一伝動チャンバーの中には下端が前記固定板を貫通し且つ前記第三ラック歯車と噛み合うように連結された第三ラックが設置され、前記第三ラックの上端が回転歯車と噛み合っており、前記第一伝動チャンバーの左端壁には前記中空軸の左側に位置した圧力誘導スイッチが設置されていることを特徴とする請求項１に記載の知能防犯ロック安全警報装置。
【請求項５】
前記弾性バネの弾力は前記シリンダー軸がチャンバー壁の間でスライドする時に受けた摩擦力の総和より大きいことを特徴とする請求項３に記載の知能防犯ロック安全警報装置。
【請求項６】
前記台形ロッドの上昇高さが前記電源を切る高さに達することができることを特徴とする請求項３に記載の知能防犯ロック安全警報装置。
【請求項７】
前記中空軸が回転できる最大角度が、前記第二ラックを左方に運動させることにより前記導電ブロックを前記電源に連通させることができる角度であることを特徴とする請求項３に記載の知能防犯ロック安全警報装置。
【請求項８】
前記伸縮バネの引き力が連結ロッドと第二縄輪とを引く合力以上であることを特徴とする請求項３に記載の知能防犯ロック安全警報装置。
【発明の詳細な説明】
【技術分野】
【０００１】
本願発明は防犯ロック分野に関し、具体的には知能防犯ロック安全警報装置である。
【背景技術】
【０００２】
この調和の取れた社会の中にでも、幾つか悪念を抱いた人が存在するということは避けがたく、入室窃盗事件が時には発生し、窃盗者はドア鍵をこじ開けて部屋に入ることが多く、安全事故の発生を予防する及び経済損失を下げるため、知能防犯ロックを開発することがとても必要である。
現段階、人々がドア鍵の安全盗難防止設置においてはまだ知能的でなく、ドア鍵に保護作用を果たせなく、タイムリーに窃盗行為を発見し且つタイムリーに警報できなく、ある程度の経済損失をもたらすことが避けがたい。
【先行技術文献】
【特許文献】
【０００３】
【特許文献１】中国特許出願公開第１０６８６９６０５号明細書
【発明の概要】
【発明が解決しようとする課題】
【０００４】
本願発明は知能防犯ロック安全警報装置を提供し、盗難防止機能が低いという問題を克服し、盗難防止機能を上げた。
【課題を解決するための手段】
【０００５】
本願発明は以下の技術プランを通じて実現する：本願発明の実施例の知能防犯ロック安全警報装置は、外殻を含み、前記外殻の中には第一伝動チャンバーと第二伝動チャンバーと第三伝動チャンバーとスペアチャンバーとが設置され、前記外殻の中にはまた移動チャンバーと停電チャンバーとが設置され、前記第一伝動チャンバーの中には封鎖警報機構と叩き防止機構とが設置され、前記停電チャンバーの中には停電機構が設置され、前記スペアチャンバーの中にはスペアの開き機構が設置され、前記封鎖警報機構は、左端が第一伝動チャンバーの左端壁を貫通し且つ左右に移動できるシリンダー軸を含み、前記シリンダー軸の中には右方に開口した鍵孔が設置され、前記第一伝動チャンバーの右端壁には前記シリンダー軸にかぶせた中空軸が回転できるように連結され、前記シリンダー軸と前記中空軸の中にはいずれも幾つかの押し栓チャンバーが設置され、前記押し栓チャンバーの中にはチャンバーの中で上下に移動でき且つ初期位置の全部異なる押し栓が設置され、上側の前記押し栓の下端と下側の前記押し栓の上端とにはいずれも阻み板が固定的に設置され、前記阻み板と前記押し栓チャンバーの端壁との間にはいずれも二つの伸ばしバネが固定され、前記中空軸の左端には大スプロケットが固定され、前記第二伝動チャンバーの左チャンバー壁には右端が前記第二伝動チャンバーの右端壁を貫通した第一伝動軸が回転できるように連結され、前記第一伝動軸の左端には小スプロケットが設置され、前記大スプロケットと前記小スプロケットとがチェーンにより連結され、前記第一伝動軸の右端には第三伝動チャンバーの中に位置した第一ベベルギアが設置され、前記第三伝動チャンバーの上下チャンバー壁の間には第二伝動軸が回転できるように連結され、前記第二伝動軸の上端には第一ラック歯車が設置され、前記第二伝動軸には前記第一ベベルギアと噛み合った第二ベベルギアが固定され、前記第二伝動軸の下端には第一縄輪が設置され、前記第一伝動チャンバーの右チャンバー壁の中には阻みブロックチャンバーが設置され、前記阻みブロックチャンバーの中には阻みブロックが設置され、前記阻みブロックの上端面がロープにより前記第一縄輪と連結され、間違った鍵が前記鍵孔に挿入されまた前記シリンダー軸を叩いた時に、撮影装置が動作し始め、それに前記阻みブロックが下降して前記シリンダー軸を保護する役割を果たす。
【０００６】
更なる技術プランとしては、前記開き機構は下端が前記阻みブロックチャンバーの下端壁を貫通し且つ前記スペアチャンバーの中に位置した上下に移動できる直角支持ブロックを含み、前記阻みブロックチャンバーの中にはまた前記直角支持ブロックの上端面と接触した電磁石が設置され、前記阻みブロックの下端壁には上端の前記直角支持ブロックと連結された連結バネが固定され、前記直角支持ブロックの下端には第一ラックが固定され、前記スペアチャンバーの左チャンバー壁にはカム軸が回転できるように連結され、前記カム軸の左端には第二ラック歯車が設置され、前記カム軸の右端にはカムが設置され、前記第一ラックが前記第二ラック歯車と噛み合うように連結され、前記スペアチャンバーの中には前記スペアチャンバーと前記第一伝動チャンバーとを貫通したスリーブが設置され、前記スリーブの中には左右に移動できるスペアシリンダー軸が設置され、前記スペアシリンダー軸の中には右方に開口したスペア鍵孔が設置され、前記スペアシリンダー軸には同じく幾つの前記押し栓チャンバーが設置され、前記押し栓チャンバーの中には前記押し栓チャンバーの中で上下に移動でき且つ初期位置が異なるスペア押し栓がいずれも設置され、上側の前記スペア押し栓の下端と下側の前記スペア押し栓の上端とには前記阻み板がいずれも固定され、前記阻み板と前記押し栓チャンバーの端壁との間には二つの前記伸ばしバネがいずれも固定されている。
【０００７】
更なる技術プランとしては、前記停電機構は前記シリンダー軸の左端に固定され且つ前記移動チャンバーに位置した従動歯車を含み、前記移動チャンバーの左チャンバー壁には二つの弾性バネが固定的に連結され、前記弾性バネの右端が前記シリンダー軸と接触し、前記移動チャンバーの中の左チャンバー壁には前記シリンダー軸の上側に位置した第三伝動軸が回転できるように連結され、前記第三伝動軸の右端には第二縄輪が設置され、前記第三伝動軸の左端には伝動歯車が固定され、前記停電チャンバーの中の前後チャンバー壁の間には回転軸が回転できるように連結され、前記回転軸には連結ロッドが固定的に連結され、前記連結ロッドの左端と前記第二縄輪との間が引き縄により連結され、前記連結ロッドの右端と前記停電チャンバーの下チャンバー壁とが伸縮バネにより連結され、前記停電チャンバーの上チャンバー壁の中には通電チャンバーが設置され、前記通電チャンバーの中の左側には電源が設置され且つ右側には導電ブロックが設置され、前記通電チャンバーの下チャンバー壁の中には下方に開口し且つ前記停電チャンバーと連通された押しチャンバーが設置され、前記押しチャンバーの中には台形ロッドが設置され、前記台形ロッドの下端が前記停電チャンバーの中に位置し且つ前記台形ロッドの下端には押し板が固定され、前記押し板の下端面が前記連結ロッドと接触し、前記導電ブロックの上端面には導線が連結され、前記導線の右端には前記第一伝動チャンバーの右チャンバー壁の中に位置した前記撮影装置が連結され、前記導電ブロックの右側には右端が前記通電チャンバーと前記第二伝動チャンバーと前記第三伝動チャンバーとを貫通し且つ前記第一ラック歯車と噛み合うように連結された第二ラックが設置されている。
【０００８】
更なる技術プランとしては、前記叩き防止機構は前記移動チャンバーの左端壁に固定されたモーターを含み、前記モーターの右端には右端が前記移動チャンバーの右端壁を貫通したモーター軸が動力が伝達できるように連結され、前記モーター軸の右端には第三ラック歯車が固定され、前記第一伝動チャンバーの右端壁には固定板が設置され、前記第一伝動チャンバーの中には下端が前記固定板を貫通し且つ前記第三ラック歯車と噛み合うように連結された第三ラックが設置され、前記第三ラックの上端が回転歯車と噛み合っており、前記第一伝動チャンバーの左端壁には前記中空軸の左側に位置した圧力誘導スイッチが設置されている。
【０００９】
更なる技術プランとしては、前記弾性バネの弾力は前記シリンダー軸がチャンバー壁の間でスライドする時に受けた摩擦力の総和より大きい。
【００１０】
更なる技術プランとしては、前記台形ロッドの上昇高さが前記電源を切る高さに達することができる。
【００１１】
更なる技術プランとしては、前記中空軸が回転できる最大角度が、前記第二ラックを左方に運動させることにより前記導電ブロックを前記電源に連通させることができる角度である。
【００１２】
更なる技術プランとしては、前記伸縮バネの引き力が連結ロッドと第二縄輪とを引く合力以上である。
【発明の効果】
【００１３】
本願発明の有益効果は：本装置は構造が簡単であり、操作が便利であり、本装置がドアの中に取り付けられることで多層盗難防止の効果を果たすことができ、泥棒が鍵孔から防犯ロックを上げようと、本装置が自動的に撮影装置を開けて影像を部屋の持主の携帯電話の中に送信すると同時に鍵保護装置を開け、鍵が破壊されることを防止し、本装置にはスペア鍵孔が設置され、それに部屋の持主がスペア鍵孔を開けて盗難防止施設を閉じてドアを開けることができる。
【図面の簡単な説明】
【００１４】
下記に図１〜５をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１５】
【図１】図１は本願発明の実施例の構成模式図
【図２】図２は本願発明の実施例のＡ―Ａの構成模式図
【図３】図３は本願発明の実施例のＢ―Ｂの構成模式図
【図４】図４は本願発明の実施例のスペアシリンダー軸の構造の局部断面の正視拡大構造模式図
【図５】図５は本願発明の実施例の押し栓の構造の全断面の正視拡大構造模式図
【発明を実施するための形態】
【００１６】
本願発明の実施例の知能防犯ロック安全警報装置は、外殻１を含み、前記外殻１の中には第一伝動チャンバー６６と第二伝動チャンバー７７と第三伝動チャンバー２９とスペアチャンバー５２とが設置され、前記外殻１の中にはまた移動チャンバー６９と停電チャンバー６１とが設置され、前記第一伝動チャンバー６６の中には封鎖警報機構７２と叩き防止機構６３とが設置され、前記停電チャンバー６１の中には停電機構６２が設置され、前記スペアチャンバー５２の中にはスペアの開き機構６４が設置され、前記封鎖警報機構７２は、左端が第一伝動チャンバー６６の左端壁を貫通し且つ左右に移動できるシリンダー軸２を含み、前記シリンダー軸２の中には右方に開口した鍵孔４０が設置され、前記第一伝動チャンバー６６の右端壁には前記シリンダー軸２にかぶせた中空軸３９が回転できるように連結され、前記シリンダー軸２と前記中空軸３９の中にはいずれも幾つかの押し栓チャンバー５７が設置され、前記押し栓チャンバー５７の中にはチャンバーの中で上下に移動でき且つ初期位置の全部異なる押し栓５９が設置され、上側の前記押し栓５９の下端と下側の前記押し栓５９の上端とにはいずれも阻み板７４が固定的に設置され、前記阻み板７４と前記押し栓チャンバー５７の端壁との間にはいずれも二つの伸ばしバネ５８が固定され、前記中空軸３９の左端には大スプロケット３４が固定され、前記第二伝動チャンバー７７の左チャンバー壁には右端が前記第二伝動チャンバー７７の右端壁を貫通した第一伝動軸２４が回転できるように連結され、前記第一伝動軸２４の左端には小スプロケット２３が設置され、前記大スプロケット３４と前記小スプロケット２３とがチェーン２２により連結され、前記第一伝動軸２４の右端には第三伝動チャンバー２９の中に位置した第一ベベルギア２５が設置され、前記第三伝動チャンバー２９の上下チャンバー壁の間には第二伝動軸２７が回転できるように連結され、前記第二伝動軸２７の上端には第一ラック歯車２８が設置され、前記第二伝動軸２７には前記第一ベベルギア２５と噛み合った第二ベベルギア２６が固定され、前記第二伝動軸２７の下端には第一縄輪３２が設置され、前記第一伝動チャンバー４０の右チャンバー壁の中には阻みブロックチャンバー３６が設置され、前記阻みブロックチャンバー３６の中には阻みブロック３８が設置され、前記阻みブロック３８の上端面がロープ３３により前記第一縄輪３２と連結され、間違った鍵が前記鍵孔４０に挿入されまた前記シリンダー軸２を叩いた時に、撮影装置３０が動作し始め、それに前記阻みブロック３８が下降して前記シリンダー軸２を保護する役割を果たす。
【００１７】
有益的に、前記開き機構６４は下端が前記阻みブロックチャンバー３６の下端壁を貫通し且つ前記スペアチャンバー５２の中に位置した上下に移動できる直角支持ブロック４２を含み、前記阻みブロックチャンバー３６の中にはまた前記直角支持ブロック４２の上端面と接触した電磁石７５が設置され、前記阻みブロック３６の下端壁には上端の前記直角支持ブロック４２と連結された連結バネ４３が固定され、前記直角支持ブロック４２の下端には第一ラック６８が固定され、前記スペアチャンバー５２の左チャンバー壁にはカム軸５５が回転できるように連結され、前記カム軸５５の左端には第二ラック歯車５６が設置され、前記カム軸５５の右端にはカム５４が設置され、前記第一ラック６８が前記第二ラック歯車５６と噛み合うように連結され、前記スペアチャンバー５２の中には前記スペアチャンバー５２と前記第一伝動チャンバー６６とを貫通したスリーブ５０が設置され、前記スリーブ５０の中には左右に移動できるスペアシリンダー軸７１が設置され、前記スペアシリンダー軸７１の中には右方に開口したスペア鍵孔５３が設置され、前記スペアシリンダー軸７１には同じく幾つの前記押し栓チャンバー５７が設置され、前記押し栓チャンバー５７の中には前記押し栓チャンバー５７の中で上下に移動でき且つ初期位置が異なるスペア押し栓がいずれも設置され、上側の前記スペア押し栓の下端と下側の前記スペア押し栓の上端とには前記阻み板７４がいずれも固定され、前記阻み板７４と前記押し栓チャンバー５７の端壁との間には二つの前記伸ばしバネ５８がいずれも固定されている。
【００１８】
有益的に、前記停電機構６２は前記シリンダー軸２の左端に固定され且つ前記移動チャンバー６９に位置した従動歯車５を含み、前記移動チャンバー６９の左チャンバー壁には二つの弾性バネ４が固定的に連結され、前記弾性バネ４の右端が前記シリンダー軸２と接触し、前記移動チャンバー６９の中の左チャンバー壁には前記シリンダー軸２の上側に位置した第三伝動軸７が回転できるように連結され、前記第三伝動軸７の右端には第二縄輪８が設置され、前記第三伝動軸７の左端には伝動歯車６が固定され、前記停電チャンバー６１の中の前後チャンバー壁の間には回転軸１１が回転できるように連結され、前記回転軸１１には連結ロッド１２が固定的に連結され、前記連結ロッド１２の左端と前記第二縄輪８との間が引き縄９により連結され、前記連結ロッド１２の右端と前記停電チャンバー６１の下チャンバー壁とが伸縮バネ１０により連結され、前記停電チャンバー６１の上チャンバー壁の中には通電チャンバー１８が設置され、前記通電チャンバー１８の中の左側には電源１５が設置され且つ右側には導電ブロック１９が設置され、前記通電チャンバー１８の下チャンバー壁の中には下方に開口し且つ前記停電チャンバー６１と連通された押しチャンバー１６が設置され、前記押しチャンバー１６の中には台形ロッド１７が設置され、前記台形ロッド１７の下端が前記停電チャンバー６１の中に位置し且つ前記台形ロッド１７の下端には押し板８２が固定され、前記押し板８２の下端面が前記連結ロッド１２と接触し、前記導電ブロック１９の上端面には導線２０が連結され、前記導線２０の右端には前記第一伝動チャンバー２９の右チャンバー壁の中に位置した前記撮影装置３０が連結され、前記導電ブロック１９の右側には右端が前記通電チャンバー１８と前記第二伝動チャンバー７７と前記第三伝動チャンバー２９とを貫通し且つ前記第一ラック歯車２８と噛み合
【００１９】
有益的に、前記叩き防止機構６３は前記移動チャンバー６９の左端壁に固定されたモーター４９を含み、前記モーター４９の右端には右端が前記移動チャンバー６９の右端壁を貫通したモーター軸４８が動力が伝達できるように連結され、前記モーター軸４８の右端には第三ラック歯車４７が固定され、前記第一伝動チャンバー６６の右端壁には固定板１３が設置され、前記第一伝動チャンバー６６の中には下端が前記固定板１３を貫通し且つ前記第三ラック歯車４７と噛み合うように連結された第三ラック４６が設置され、前記第三ラック４６の上端が回転歯車３５と噛み合っており、前記第一伝動チャンバー６６の左端壁には前記中空軸３９の左側に位置した圧力誘導スイッチ６０が設置されている。
【００２０】
装置全体の機械動作の順序：
【００２１】
１、間違った鍵が鍵孔４０に挿入され時、押し栓５９が中空軸３９とシリンダー軸２との連結を断つことができなく、間違った鍵を回転した時、中空軸３９がシリンダー軸２と伴に回転し、それにより大スプロケット３４を回転連動させ、それによりチェーン２２により大スプロケット３４と連結された小スプロケット２３を回転連動させ、それにより第一伝動軸２４を回転連動させ、第一伝動軸２４が回転して第一ベベルギア２５を回転連動させ、それにより第一ベベルギア２５と噛み合った第二ベベルギア２６を回転連動させ、それにより第二伝動軸２７を回転連動させ、それにより第一ラック歯車２８と第一縄輪３２とを回転連動させ、第一ラック歯車２８が回転して第二ラック２１を左方に運動連動させ、それにより導電ブロック１９を左方に移動連動させて電源１５と接触させ、この時撮影装置３０が動作し始め、第一縄輪３２が回転し、ロープ３３が緩み、間違った鍵を抜いた後、阻み板３８が下降して鍵孔４０を阻むことにより鍵を再び挿入されることを防止し、
【００２２】
２、シリンダー軸２が叩きを受けた時、シリンダー軸２が中空軸３９と一緒に左方に移動し、この時圧力誘導スイッチ６０が動作し、それによりモーター６３を回転させ、それによりモーター軸４８を回転連動させ、それにより第三ラック歯車４７を回転連動させ、それにより第三ラック４６を上方に運動連動させ、それにより回転歯車３５を回転連動させ、最終的に、撮影装置３０が動作し、ロープ３３が緩むことになり、それにより阻みブロック３８を下降させ、
【００２３】
３、電磁石７５を始動し、直角支持ブロック４２が電磁石７５と反発することにより下方に運動し、それにより第二ラック６８を下方に運動連動させ、それにより第二ラック歯車５６を回転連動させ、それによりカム軸５５を回転させ、それによりカム５６を回転連動させてスペア鍵孔５３を露出させ、
【００２４】
４、スペア鍵がスペア鍵孔から挿入された時、スペア鍵軸７１がスリーブ５０との連結を断ち、左方にスペア鍵軸７１を押し且つ逆方向に回転した時、第三歯車４４が回転歯車３７と噛み合い且つ回転し始め、それにより回転歯車３７を反転連動させ、それにより中空軸３９を反転連動させ、それにより大スプロケット３４を反転連動させ、最後に第一縄輪３２を反転連動させてロープ３３引き戻し、それにより阻みブロック３８を引き寄せて上昇させ、阻みブロック３８に鍵孔４０を露出させ、スペアシリンダー軸７１を押すのを止めさせ、リセットバネ５１の引っ張り作用のもとでスペアシリンダー軸７１が引き戻され、スペア鍵を回転させ、スペア鍵軸７１がリセットを完成し、スペア鍵を抜き、電磁石７５を閉じ、連結バネ４３の支持力の作用のもとで、直角支持ブロック４２が上方に運動し、それにより第二ラック６８を上方に運動連動させ、それにより第二ラック歯車５６を回転連動させ、それによりカム軸５５を回転連動させ、それによりカム５４を回転連動させてリセットを完成させ、
【００２５】
５、正しい鍵が鍵孔４０から挿入された時、シリンダー軸２が中空軸３９と回転できるように連結され、シリンダー軸２を力押した時、シリンダー軸２が左方に運動し、この時従動歯車５が左方に運動して伝動歯車６と噛み合い、鍵を回転させた時、シリンダー軸２が回転し、従動歯車５を回転連動させ、それにより伝動歯車６を回転連動させ、それにより第三伝動軸７を回転連動させ、それにより巻縄輪８を回転連動させ、それにより引き縄９をきつく引かせ、連結ロッド１１が反時計回りに回転し、Ｔ型押しブロック１７を上方に運動連動させ、それにより導電ブロック１９と電源１５との連結を断ち、最後に鍵を開き、
【００２６】
６、シリンダー軸２への力押しを止め、弾性バネ４の弾力の作用のもとで、シリンダー軸２が右方に運動し、正しい鍵を逆方向に回転してシリンダー軸２のリセットを完成し、伸縮バネ１０の作用のもとで、連結ロッド１２が回転軸１１を中心に回転し、巻縄輪８が反転し、引き縄９が緩み、Ｔ型押しブロック１７が下降し、リセットを完成する。
【００２７】
上記の実施例は本願発明の技術発想と特徴を説明するためのものであり、その目的は本分野に詳しい技術者に本願発明の内容を理解して実施させることであり、それをもって本願発明の保護範囲を限定するものではない。本願発明の精神要旨をもって行う全ての同等変化あるいは修正は、本願発明の保護範囲に含まれる。
【要約】      （修正有）【課題】泥棒が鍵孔から防犯ロックを上げようとするのを防止する知能防犯ロック安全警報装置を提供する。【解決手段】知能防犯ロック安全警報装置は、外殻１を含み、前記外殻の中には第一伝動チャンバー６６と第二伝動チャンバー７７と第三伝動チャンバーとスペアチャンバー２９とが設置され、前記外殻の中にはまた移動チャンバー６９と停電チャンバー６１とが設置され、前記第一伝動チャンバーの中には封鎖警報機構７２と叩き防止機構６３とが設置され、前記停電チャンバーの中には停電機構が設置され、前記スペアチャンバーの中にはスペアの開き機構６４が設置されている。間違った鍵が鍵穴４０に挿入され回転されるか、または、シリンダー軸２が叩きを受けると、撮影装置が作動し、その後、間違った鍵を抜くと阻み板３８が鍵穴を塞ぐ。スペア鍵を用いて阻み板を元に戻し、正規の鍵を用いることで、知能防犯ロック安全警報装置がリセットされる。【選択図】図１【図１】
0006813732.tif 000002
【図２】
0006813732.tif 000003
【図３】
0006813732.tif 000004
【図４】
0006813732.tif 000005
【図５】
0006813732.tif 000006